(57)【要約】【課題】他の電子機器への影響を抑えつつ、且つ、Ｔ５ランプのようにランプ電圧が比較的大きな放電灯であっても円滑に調光することができる放電灯点灯装置及び照明装置を提供する。【解決手段】出力電圧の値を５００Ｖ以下で４２０Ｖと２９０Ｖに切替え可能な直流電源回路１と、直流電源回路１の出力電圧を交流電圧に変換するインバータ回路２と、共振用インダクタＬ１を有する共振回路２０と、放電灯Ｌａに接続される共振用コンデンサＣ１とを備え、インバータ回路２の動作周波数を共振用コンデンサＣ１と共振用インダクタＬ１の固有振動周波数の近傍に設定し、直流電源回路１の出力電圧の切替えにより放電灯Ｌａの光出力を変化させるようにした。【選択図】図１
2011034719.tif 000002
【特許請求の範囲】
【請求項１】
出力電圧の値を複数段階に切替え可能な直流電源回路と、
前記直流電源回路に接続され前記直流電源回路の出力電圧を交流電圧に変換するインバータ回路と、
前記インバータ回路の出力端に直列接続されるチョークコイルと、
放電灯に接続される始動用コンデンサとを備え、
前記インバータ回路の動作周波数が前記始動用コンデンサと前記チョークコイルの固有振動周波数の近傍に設定され、前記直流電源回路の出力電圧の切替えにより前記放電灯の光出力を変化させる放電灯点灯装置。
【請求項２】
前記直流電源回路の出力電圧は５００Ｖ以下で切替え可能である請求項１に記載の放電灯点灯装置。
【請求項３】
請求項１又は請求項２に記載の放電灯点灯装置と、
前記放電灯点灯装置に接続される放電灯と、
を備えた照明装置。
【請求項４】
前記放電灯は、点灯時の最大ランプ電圧が１５０Ｖ以上である請求項３に記載の照明装置。
【請求項５】
前記放電灯は、管径が２５．５ｍｍ以下である請求項３又は請求項４に記載の照明装置。
【発明の詳細な説明】
【技術分野】
【０００１】
本発明は、放電灯を点灯させる放電灯点灯装置及び該放電灯点灯装置を用いた照明装置に関する。
【背景技術】
【０００２】
近年、蛍光ランプを２０ｋＨｚ以上の高周波で点灯させてランプの発光効率を改善することにより、従来の銅鉄式安定器よりも省エネを図ることができるインバータ式の安定器が普及している。その一例として、図２に示す回路構成の放電灯点灯装置は、商用電源を直流電圧に変換する直流電源回路１と、直流電源回路１から出力される直流電圧を高周波電力に変換するスイッチング素子Ｑ１、Ｑ２等からなるインバータ回路２と、インバータ回路２のスイッチング素子Ｑ１、Ｑ２を駆動させる駆動回路３と、外部からの調光信号Ｓに対応し、所定の周波数にてインバータ回路２のスイッチング素子Ｑ１、Ｑ２を駆動させるための駆動周波数信号を駆動回路３に出力する周波数制御回路４とから構成され、インバータ回路２のスイッチング素子Ｑ２の両端に共振用インダクタＬ１を介して蛍光ランプ等の放電灯Ｌａの両方のフィラメントの一端間を接続するとともに、両側のフィラメントの非電源側端間に共振用コンデンサＣ１を接続するようになっている。
【０００３】
この従来の放電灯点灯装置では、インバータ回路２のスイッチング素子Ｑ１、Ｑ２の駆動周波数を図３に示すように、周波数ｆ１から周波数ｆ２の範囲で変化させて放電灯Ｌａを含む負荷回路のインピーダンスを変化させることにより、ランプ電流を変化させている。これにより放電灯Ｌａの光出力を周波数ｆ１のＡから周波数ｆ２のＢの間で変化させる所定の調光制御を行う。
【０００４】
しかし、この従来の放電灯点灯装置では、駆動周波数が周波数ｆ２以上のより深い調光を行う場合、放電灯Ｌａが放電の不安定領域に入ってしまうため、場合によっては立ち消えが発生する恐れがある。また、放電灯Ｌａを連続的に調光する場合に、幅広い周波数帯域を連続的に使用すると、例えば他の電子機器（例えば、赤外線リモコンや特定周波数に対して動作する防犯タグなど）を近接して使用した場合には、各々が周波数によって干渉を起こし、他の電子機器が誤動作を起こしてしまう恐れもある。このため、広い帯域の周波数において電波雑音対策が必要となり、その結果雑音防止フィルタ等の設計が複雑且つコストアップとなってしまうという課題がある。しかも、例えばこの放電灯点灯装置が冷蔵ショーケースに組み込まれて使用される場合、非常に配線が長くなるため、配線間に発生する寄生容量の影響も考慮しなくてはならない。
【０００５】
さらに、一般的に冷蔵ショーケースではあらかじめインバータ回路の共振用コンデンサ（図２のＣ１に相当）が外付けで配設されていることが多く、この共振用コンデンサとしては寄生容量の影響を少なくするために１μＦ前後の比較的大きな容量のコンデンサが用いられている。このため、高い周波数にて放電灯を点灯させた場合、放電灯のフィラメント部位にて発生するロスが大きくなってしまい、非常に非効率である。また、熱的にも高くなるため、樹脂製のソケット部に対しても溶融等の恐れが出てきてしまう。このため、冷蔵ショーケースに組み込まれて使用される放電灯点灯装置においては点灯時の発振周波数をなるべく低くする必要がある。
【０００６】
この対策を図ったものとして、例えば特許文献１に示される放電灯点灯装置が提案されている。この特許文献１に開示されている放電灯点灯装置では、商用電源を直流電源に変換する電源回路と、前記直流電源を高周波電力に変換して放電灯を高周波点灯させるインバータ回路と、前記インバータ回路のスイッチング素子を駆動させる駆動回路と、異なる複数の駆動周波数を所定の周期内で切り替えて前記駆動回路に出力するとともに、それぞれの駆動周波数の出力する期間を所定の周期内で相対的に変化させる周波数制御回路とを備え、前記周波数制御回路の駆動周波数を複数切り替えて制御するようにしている。
【０００７】
この動作を、図４を用いて説明する。図４の（ａ）は、周波数制御回路が出力する駆動周波数ｆ１〜ｆ３に対する光出力の関係を示し、図中ｆ１は光出力１００％、ｆ２は光出力５０％、ｆ３は光出力５％を出力する駆動周波数である。また、図４の（ｂ）、（ｃ）は、各光出力に対する周波数制御回路の駆動周波数の出力制御方法を示している。
【０００８】
而して、調光信号Ｓに対応して光出力が５％から５０％の出力となるように制御する場合、周波数制御回路は、図４の（ｂ）に示すようにｆ２、ｆ３の２つの駆動周波数からなる信号を、所定の周期Ｔにて交互に切り替えて駆動回路に出力するとともに、駆動周波数ｆ２と駆動周波数ｆ３の割合を周期Ｔ内にて相対的に変化させる制御を行い、この制御された駆動周波数により駆動回路から出力される駆動信号でインバータ回路の２つのスイッチング素子を駆動させて放電灯に供給する高周波電力を制御し、これにより調光を行う。
【０００９】
また、光出力が５０％から１００％の出力となるように制御する場合には図４の（ｃ）に示すようにｆ１、ｆ２の駆動周波数を用いて、同様の動作を行うことで調光を行う。このように複数の駆動周波数を使うことで、広範囲な光出力が制御可能となる。また、駆動周波数を他の電子機器に影響を与えない周波数に選定することで、他の電子機器に影響を与えないで円滑に調光することができる。
【先行技術文献】
【特許文献】
【００１０】
【特許文献１】特開２００８−１０８６３８号公報
【発明の概要】
【発明が解決しようとする課題】
【００１１】
しかし、最近の照明器具の動向として、例えば、直管用の放電灯であればＴ８ランプ（管径２５．５ｍｍ）や、Ｔ５ランプ（管径１６ｍｍ）などのように従来の放電灯よりも管径を細くすることによってランプの発光効率を向上させた高効率のランプが主流となってきている。放電灯の一般的な特徴として、ランプの管径が細くなるほどランプ電圧が高くなり、また、調光用の場合などのようにランプ電流が少なくなるほどランプ電圧が高くなる傾向にある。
【００１２】
このようなランプを安定に点灯させるためには、放電灯点灯装置の出力電圧がこれらのランプ電圧以上の値になるように供給可能である必要があり、そのためには、インバータ回路に入力される直流電圧を高く設定するか、もしくは、共振用インダクタと共振用コンデンサによって構成される共振回路の共振特性を利用し、駆動周波数を共振回路の固有振動周波数の近傍に設定して高電圧が供給できるように設計する必要がある。この点について、図６の特性図を用いてさらに詳しく説明する。
【００１３】
図２の共振回路２０は等価的に図５の回路に置き換えて考えることができる。このとき、入力電圧は直流電圧ＶＤＣの値に√２／πをかけた値を実効値とする正弦波電圧と等価と考えることができる。この等価回路より回路方程式を立てると以下の式となる。
【００１４】
【数１】
2011034719.tif 000003
【００１５】
ここで、共振回路２０の入力電圧と出力電流、電圧の関係を明確にするために、式を変形してｉＬ、ｉＣ、ｖＬを消去すると、次の微分方程式が導かれる。さらに、複素表示を用いると次式に変形される。
【００１６】
【数２】
2011034719.tif 000004
【００１７】
したがって、この式から入力電圧、出力電流、電圧の実効値は以下の式で表すことができ、さらに変形すると（１）式が成立する。ここで、共振回路２０から出力される電圧と電流の特性を、図６のように横軸を出力電流、縦軸を出力電圧としてグラフを描くと、（１）式はこの出力特性ＣＬの軌跡が楕円軌道となることを示している。
【００１８】
【数３】
2011034719.tif 000005
【００１９】
この特性ＣＬと縦軸との交点は、共振回路２０に負荷が接続されていない場合の開放電圧Ｖｏを示しており、この値が高ければ高いほどより急峻な出力特性が得られることになる。このとき、共振回路２０の固有振動周波数ｆ０は、１／２π√（Ｌ１・Ｃ１）（＝ω０／２π）で表されるので、開放電圧Ｖｏは（２）式で示される。この式から急峻な出力特性を得るためには、共振回路２０に入力される電圧を高く設定するか、インバータ回路の動作周波数を共振回路２０の固有振動周波数に近づければよいことが分かる。なお、図６において、出力特性ＣＬは定格点灯時の特性であり、出力特性ＣＬ’は調光点灯時の特性である。
【００２０】
共振回路２０の出力段に負荷として放電灯を接続する場合、放電灯は一般的に図６に示すような負特性を持っており、この特性（ランプ特性）ＣＰと先に述べた共振回路２０の出力特性ＣＬの交点Ａが動作点となり、放電灯に流れる電流と、放電灯にかかる電圧が決まり、さらに先述のようにインバータ回路の駆動周波数を変化させると出力特性が変化するので、放電灯の動作点も変化して放電灯を調光点灯させることができる。これらの動作点のランプ電圧に対して共振回路２０の開放電圧Ｖｏを高く設定すると、放電灯を安定に点灯させることができる。
【００２１】
このランプ電圧を安定に供給するために、図２の回路構成で直流電源回路１の電圧を上げて供給するには、直流電圧はランプ電圧の約２．５倍以上に設定するのが望ましく、この放電灯を使用する場合には５００Ｖ以上の電圧に設定する必要がある。したがって、インバータ回路の２つのスイッチング素子の定格電圧はこの値以上に設定する必要があり、少なくとも６００Ｖ以上の定格電圧が必要となる。さらに、この放電灯点灯装置を商用電源に接続して使用可能とするためには、交流電源を直流電源に変換するＡＣ−ＤＣコンバータが必要である。ＡＣ−ＤＣコンバータで交流電圧の平滑用によく用いられるアルミ電解コンデンサは一般的に定格電圧が５００Ｖ以下のものしかなく、５００Ｖ以上で使用するためには大容量のコンデンサを２個以上直列接続して使用しなければならず、これらの部品がコストアップの大きな要因となる。
【００２２】
次に、直流電源回路の出力電圧を４５０Ｖ以下として、共振作用を利用した点灯回路設計を考えてみる。例えば、図２の回路で以下の条件でこのランプを点灯させるものとする。
直流電圧            ：４２０Ｖ
共振用インダクタＬ１：８ｍＨ
共振用コンデンサＣ１：４．３ｎＦ
駆動周波数          ：２５ｋＨｚ
【００２３】
このとき、放電灯に流れる電流は約０．１５Ａとなり、ほぼ定格通りのランプ光束を得ることができる。この構成で駆動周波数のみを変化させて調光比約７５％まで調光させる場合、駆動周波数は３２ｋＨｚのときに、ランプ電流は約０．１０Ａとなる。ここで、配線の浮遊容量として、放電灯の両端間に浮遊容量が例えば、共振用コンデンサの約８％程度にあたる３６０ｐＦの容量が発生した場合を考える。この場合、定格点灯時の特性は駆動周波数２５ｋＨｚでランプ電流が０．１５Ａとほとんど変化しないのに対し、調光時には駆動周波数３２ｋＨｚでランプ電流は０．０９Ａと約１０％低下する。これは、共振回路２０の固有振動周波数ｆｏ（＝２７．１ｋＨｚ）が、配線による浮遊容量によって２６．１ｋＨｚに若干変化するが、定格点灯時には駆動周波数がそれぞれの固有振動周波数の近傍で動作させているためインバータ回路の出力特性がほとんど変化しないが、調光時には駆動周波数が固有振動周波数から離れるために、（２）式で示す開放電圧Ｖｏが下がって急峻な出力特性が得られなくなり、浮遊容量の増加によってランプ電流が変動しやすくなるためである。
【００２４】
ここで想定した浮遊容量の３６０ｐＦという値は、使用される条件にもよるが、配線長に換算すると３〜４ｍ程度であり、配線が５ｍ以上で使用されることが多い冷蔵ショーケース用の放電灯点灯装置においてはこの特性の差がさらに広がり、条件によっては放電灯点灯装置の出力電圧不足によってランプが立消えすることもあり、複数灯点灯させたときにランプの明るさの差が使用上許容される範囲を大きく超えることになる。
【００２５】
本発明は、係る事情に鑑みてなされたものであり、他の電子機器への影響を抑えつつ、且つ、Ｔ５ランプのようにランプ電圧が比較的大きな放電灯であっても円滑に調光することができる放電灯点灯装置及び照明装置を提供することを目的とする。
【課題を解決するための手段】
【００２６】
本発明の放電灯点灯装置は、出力電圧の値を複数段階に切替え可能な直流電源回路と、前記直流電源回路に接続され前記直流電源回路の出力電圧を交流電圧に変換するインバータ回路と、前記インバータ回路の出力端に直列接続されるチョークコイルと、放電灯に接続される始動用コンデンサとを備え、前記インバータ回路の動作周波数が前記始動用コンデンサと前記チョークコイルの固有振動周波数の近傍に設定され、前記直流電源の出力電圧の切替えにより前記放電灯の光出力を変化させる。
【００２７】
上記構成によれば、放電灯を調光する場合に、インバータ回路の動作周波数を始動用コンデンサとチョークコイルの固有振動周波数の近傍に設定し、かつ、インバータ回路に入力する直流電圧の値を変化させるので、他の電子機器への影響を抑えつつ、且つ、Ｔ５ランプのようにランプ電圧が比較的大きなランプであっても円滑に調光することが可能となる。また、定格ランプ電流がほぼ等しい複数種の放電灯の点灯も可能となる。
【００２８】
前記直流電源回路は、５００Ｖ以下で出力電圧の切替え可能とする。
【００２９】
本発明の照明装置は、前記放電灯点灯装置と、前記放電灯点灯装置に接続される放電灯と、を備えた。
【００３０】
上記構成によれば、他の電子機器への影響を抑えつつ、且つ、Ｔ５ランプのようにランプ電圧が比較的大きなランプであっても円滑に調光することが可能となる。また、定格ランプ電流がほぼ等しい複数種の放電灯の点灯も可能となる。
【００３１】
また、上記構成において、前記放電灯は、点灯時の最大ランプ電圧が１５０Ｖ以上のものである。
【００３２】
また、上記構成において、前記放電灯は、管径が２５．５ｍｍ以下のものである。
【発明の効果】
【００３３】
本発明は、放電灯を調光する場合に、インバータ回路の動作周波数を特定の周波数に固定して動作させ、かつ、インバータ回路に入力される直流電圧の値を変化させるようにしたので、他の電子機器への影響を抑えつつ、且つ、Ｔ５ランプのようにランプ電圧が比較的大きなランプであっても円滑に調光することが可能となる。
【図面の簡単な説明】
【００３４】
【図１】本発明の一実施の形態に係る放電灯点灯装置の回路構成を示す図
【図２】従来の放電灯点灯装置を含む照明装置の回路構成を示す図
【図３】図２の放電灯点灯装置の調光制御における光出力と駆動周波数との関係を示す図
【図４】（ａ）は特許文献１で開示された放電灯点灯装置の調光制御における光出力と駆動周波数との関係を示す図、（ｂ）及び（ｃ）は当該放電灯点灯装置の調光制御における周波数制御回路の駆動周波数の出力制御の説明図
【図５】図２の放電灯点灯装置の共振用インダクタと共振用コンデンサからなる共振回路を等価的に示す図
【図６】図２の放電灯点灯装置の共振用インダクタと共振用コンデンサからなる共振回路から出力される電圧と電流の特性を示す図
【発明を実施するための形態】
【００３５】
以下、本発明を実施するための好適な実施の形態について、図面を参照して詳細に説明する。
【００３６】
図１は、本発明の一実施の形態に係る放電灯点灯装置の回路構成を示す図である。なお、図１において前述した図２と共通する部分には同一の符号を付けている。
【００３７】
本実施の形態の放電灯点灯装置３０は、図２に示す従来の放電灯点灯装置の回路構成で直流電源回路１を、商用電源７とＡＣ−ＤＣコンバータであるチョッパ回路９とで構成している。チョッパ回路９は、昇圧式のＡＣ−ＤＣコンバータであり、整流回路１０によって全波整流された電源電圧を所定の直流電圧に昇圧して出力する。チョッパ回路９の構成はチョークコイルＬ２とダイオードＤ５が直列に整流回路１０のダイオードブリッジＤ１〜Ｄ４の出力段の一端と平滑用コンデンサＣ２の間に挿入されており、チョークコイルＬ２とダイオードＤ５の接続点とダイオードブリッジＤ１〜Ｄ４の出力段のもう一端の間にはスイッチング素子Ｑ３が接続されている。スイッチング素子Ｑ３にはＭＯＳＦＥＴが用いられている。
【００３８】
スイッチング素子Ｑ３を導通させると、ダイオードブリッジＤ１〜Ｄ４の出力段からチョークコイルＬ２とスイッチング素子Ｑ３を介して電流が流れることにより、チョークコイルＬ２にはエネルギーが蓄えられる。次に、スイッチング素子Ｑ３を遮断すると、チョークコイルＬ２に蓄えられたエネルギーはダイオードＤ５を介してコンデンサＣ２へと供給される。このようにスイッチング素子Ｑ２の導通と遮断を繰り返すことによりコンデンサＣ２への電流供給と遮断を繰り返し、このスイッチングを高周波で行うことによりコンデンサＣ２の両端にはほぼ直流の電圧を得ることができる。
【００３９】
チョッパ制御回路５は、チョッパ回路９のスイッチング素子Ｑ３のスイッチングを制御しており、コンデンサＣ２の両端電圧を抵抗Ｒ１とＲ２で分圧して検出している。コンデンサＣ２の両端電圧が所定の電圧よりも低い場合にはスイッチング素子Ｑ２の導通時間が長くなるように、逆に電圧が低い場合には導通時間が短くなるようにフィードバック制御することにより、電源電圧や負荷の状態が変化してもコンデンサＣ２の電圧を一定に制御することができる。チョッパ制御回路５は、その機能を集積化した汎用のＩＣが発売されており、例えば、富士電機製のＦＡ５５０１等は入力電流の高調波歪を改善する力率改善機能もひとつのＩＣに内蔵しており、これらのＩＣを使用することによりこれらの制御部を容易に構成することができる。
【００４０】
また、ラインフィルタＴ１とダイオードブリッジＤ１〜Ｄ４の間にはチョークコイルＬ３が挿入されており、またダイオードブリッジＤ１〜Ｄ４の出力段にはコンデンサＣ５が並列に挿入されている。このチョークコイルＬ３とコンデンサＣ５によってフィルタ回路が構成されており、チョッパ回路９のスイッチングによって発生する高周波電流をコンデンサＣ５経由でバイパスさせることにより、高周波電流が商用電源７側へ流れることがないようにしている。また、商用電源７に直列に電源スイッチ８が接続されている。
【００４１】
なお、本実施の形態では昇圧式のチョッパ回路９について説明しているが、昇降圧式などの他のチョッパ回路でもよく、商用電源７の交流電圧を所望の直流電圧に変換できる構成であれば、その効果は変わらない。
【００４２】
インバータ回路２は、直流電源回路１から出力される直流電圧を高周波電力に変換するスイッチング素子Ｑ１、Ｑ２等からなる。インバータ回路２のスイッチング素子Ｑ１、Ｑ２を駆動させるインバータ駆動回路３は、周波数制御回路４によって生成される駆動周波数信号Ｓｄに応じてスイッチング素子Ｑ１とＱ２を交互にＯＮ／ＯＦＦさせることによってチョッパ回路９から出力される直流電圧を矩形波電圧に変換し、共振回路２０へ出力している。例えば、ＩＲ社製のＩＲ２１５１等のハーフブリッジ回路用の高耐圧ドライバＩＣを用いることによって、部品点数が少なく容易にインバータ駆動回路３を構成することができる。インバータ回路２のスイッチング素子Ｑ２の両端に共振用インダクタ（チョークコイル）Ｌ１とコンデンサＣ３を介して放電灯Ｌａの両方のフィラメントの一端間を接続されるとともに、放電灯Ｌａの両側のフィラメントの非電源側端間に共振用コンデンサ（始動用コンデンサ）Ｃ１が接続される。
【００４３】
チョッパ制御回路５は、放電灯点灯装置３０の外部から接続される調光信号Ｓが入力される構成となっており、調光信号Ｓに応じてチョッパ回路９の出力電圧を設定できるようになっている。チョッパ出力電圧を切替えるには、抵抗Ｒ１とＲ２の分圧比を変えるとそれに応じてチョッパ出力電圧を切替えることができる。
【００４４】
なお、放電灯点灯装置３０と、この放電灯点灯装置３０に接続される放電灯Ｌａは照明装置４０を構成する。
【００４５】
ここで、共振回路２０の共振用インダクタＬ１のインダクタンス、共振用コンデンサＣ１の容量及びインバータ回路２の駆動周波数は従来例と同様に以下に示す値とした。
共振用インダクタＬ１：８ｍＨ
共振用コンデンサＣ１：４．３ｎＦ
駆動周波数          ：２５ｋＨｚ
【００４６】
また、商用電源７の入力電圧を例えばＡＣ１００Ｖとし、チョッパ回路９の出力電圧を調光信号Ｓに応じて４２０Ｖと２９０Ｖに切替できるように設定した（即ち、直流電源回路１の出力電圧を５００Ｖ以下で、４２０Ｖと２９０Ｖに切替え可能とした）。さらに、放電灯Ｌａは、管径が２５．５ｍｍ以下のＴ８ランプ（管径２５．５ｍｍ）や、Ｔ５ランプ（管径１６ｍｍ）などのランプの発光効率を向上させた高効率のランプを用いた。
【００４７】
チョッパ電圧を４２０Ｖから２９０Ｖまで下げた場合のランプ電流は０．１０Ａであり、従来例の駆動周波数が３２ｋＨｚのときのランプ電流とほぼ等しくなる。さらに、配線の浮遊容量３６０ｐＦが発生した場合のランプ電流は０．１０Ａとほとんど変化していない。また、調光時の開放電圧Ｖｏを比較してみると、従来例では浮遊容量Ｃｓがないときの開放電圧Ｖｏが４７９Ｖであったのが、浮遊容量Ｃｓが発生すると３７５Ｖまで低下し、調光時のランプ電圧２２０Ｖに近づく結果となっている。これに対して、本実施の形態では、浮遊容量Ｃｓなしのときに８７６Ｖを供給可能であり、さらに浮遊容量Ｃｓありでも１５８２Ｖと高い電圧を維持できているために、浮遊容量Ｃｓによるランプ電流の変化を少なく抑えることができている。これは、インバータ回路２の駆動周波数を共振回路２０の固有振動周波数の近傍で固定して動作させていることによる効果である。
【００４８】
このように本実施の形態の放電灯点灯装置３０によれば、出力電圧の値を５００Ｖ以下で４２０Ｖと２９０Ｖに切替え可能な直流電源回路１と、直流電源回路１の出力電圧を交流電圧に変換するインバータ回路２と、共振用インダクタＬ１を有する共振回路２０と、放電灯Ｌａに接続される共振用コンデンサＣ１とを備え、インバータ回路２の動作周波数を共振用コンデンサＣ１と共振用インダクタＬ１の固有振動周波数の近傍に設定し、直流電源回路１の出力電圧の切替えより放電灯Ｌａの光出力を変化させるようにしたので、他の電子機器への影響を抑えつつ、且つ、Ｔ５ランプのようにランプ電圧が比較的大きな放電灯であっても円滑に調光することが可能となる。
【００４９】
本実施の形態の放電灯点灯装置３０は、定格ランプ電流がほぼ等しい複数種の放電灯Ｌａを点灯可能である。
【００５０】
なお、本実施の形態では、チョッパ回路９の出力電圧を調光信号Ｓに応じて４２０Ｖと２９０Ｖに切替できるように設定したが、切替え可能な電圧値の数は、この２つの電圧値に限定されるものではなく、それ以上であってもよい。但し、５００Ｖ以下とする。また、共振用インダクタＬ１、共振用コンデンサＣ１及びインバータ回路２の駆動周波数は、上記した値（８ｍＨ、４．３ｎＦ、２５ｋＨｚ）に限定されるものではなく、適宜変更可能である。
【００５１】
また、本実施の形態では、放電灯Ｌａとして、管径が２５．５ｍｍ以下のＴ８ランプ（管径２５．５ｍｍ）や、Ｔ５ランプ（管径１６ｍｍ）などのランプの発光効率を向上させた高効率のランプを用いたが、これらに限定されない。
【符号の説明】
【００５２】
１  直流電源回路
２  インバータ回路
３  インバータ駆動回路
４  周波数制御回路
５  チョッパ制御回路
７  商用電源
８  電源スイッチ
９  チョッパ回路
１０  整流回路
２０  共振回路
３０  放電灯点灯装置
４０  照明装置
Ｌａ  放電灯
Ｌ１  共振用インダクタ
Ｃ１  共振用コンデンサ
Ｃｓ  浮遊容量
Ｑ１〜Ｑ３  スイッチング素子
Ｒ１、Ｒ２  抵抗
【図１】
2011034719.tif 000006
【図２】
2011034719.tif 000007
【図３】
2011034719.tif 000008
【図４】
2011034719.tif 000009
【図５】
2011034719.tif 000010
【図６】
2011034719.tif 000011